(57)【特許請求の範囲】
【請求項１】
対の電線からなる線材の複数配線において、
互いに異なる特定周波数の電流を送出する複数の発振器と
前記発振器数と同数の複数の並列共振回路を有する受信器
を備えた線材識別表示器であって、
前記各発振器は、電源との接続により前記特定周波数の電流を送出する発振回路と位相反転回路と電流増幅回路と前記送出される電流の特定周波数に対応して予め設定した特定情報を表示するダイオードを有し、
前記受信器の各並列共振回路は、
前記送出される電流の互いに異なる特定周波数にそれぞれ対応して共振するダイオード組込型並列共振回路であって、かつ、前記組み込まれたダイオードは共振により上昇する電圧に基づいてその属する共振回路の共振をもたらす特定周波数に対応して前記予め設定した特定情報と同一の特定情報を表示するダイオードであって、
前記発振器は前記線材の一方の端部における前記対の電線の双方と接続し、前記受信器は前記線材の他方の端部における前記対の電線の双方と接続していることを特徴とする
線材識別表示器
【請求項２】
前記発振器数と同数の複数の受信器を備えたことを特徴とする請求項１に記載の線材識別表示器
【請求項３】
前記ダイオードは、いずれも発光ダイオードであり、かつ、前記特定情報は特定色の光であることを特徴とする請求項１又は請求項２に記載の線材識別表示器
【請求項４】
前記各並列共振回路に組み込まれたダイオードが複数であり、かつ、前記組み込まれたダイオードの前記各並列共振回路における接続が正方向と逆方向のいずれの接続も含むものであることを特徴とする請求項１乃至請求項３のいずれかに記載の線材識別表示器
【発明の詳細な説明】
【技術分野】
【０００１】    本発明は、ケーブル配線工事時のケーブル識別表示に関する。
【背景技術】
【０００２】    ケーブル配線工事時のケーブル識別表示に関する従来の技術として、第１の従来技術（特許文献１）、第２の従来技術（特許文献２）、第３の従来技術（特許文献３）、第４の従来技術（特許文献４）及び、第５の従来技術（非特許文献１）がある。【０００３】    第１の従来技術は、次の通りである。ケーブル識別用整列治具にケーブルを順番に挟み込んで保持しケーブルを識別するもの。【０００４】    第２の従来技術は、次の通りである。配線工事をしながら即時に電線に配線先を表示した誤配線防止用粘着シールを貼付することができる腕輪でケーブルを識別するもの。【０００５】    第３の従来技術は、次の通りである。太めの電線にも簡単に差し込むことができ、又、細めの電線にも確実に外嵌固定できるようにした電線リングマークで識別するもの。【０００６】    第４の従来技術は、次の通りである。乾電池式のブザーとワニグチクリップ、音量ボリューム、乾電池、クリップで構成し、ブザーの音の有無で誤配線と短絡及び漏電を防止するもの。【０００７】    第５の従来技術は、次の通りである。名称が記載できる、ナイロン製のインシュロックタイの構造で、各ケーブルへ取付け識別するもの。
【先行技術文献】
【特許文献】
【０００８】
【特許文献１】特開平１１−１３６８２８号公報
【特許文献２】特開平８−１９０３４８号公報
【特許文献３】特開平８−１４８０３９号公報
【特許文献４】実開平７−１４３９０号公報
【非特許文献】
【０００９】
【非特許文献１】市販品配線表示ラベル（ヘラマンタイトン株式会社の線名札）
【発明の概要】
【発明が解決しようとする課題】
【００１０】    従来、この目的には汎用品の導通状態が確認できる測定器での導通による識別、ケーブルの両端に色テープの貼り付け、「非特許文献１」、「特許文献２」、と目印塗料塗布、線番表示、「特許文献１」、「特許文献３」が一般的であった。【００１１】    導通状態が確認できる測定器では作業者の技能習熟度合いによる測定不良、ケーブルの両端に色テープの貼り付け、「非特許文献１」、「特許文献２」、では作業環境による作業途中での剥がれ、目印塗料塗布、線番表示、「特許文献１」、「特許文献３」では長さ都合での切断による再取付け、再塗布時の人為ミスが避けられなかった。【００１２】    本発明は、複数の配線施工ケーブル束に於いて、各端末の誤接続を防止するケーブル識別表示器の提供を目的とする。
【課題を解決するための手段】
【００１３】
本願発明は、かかる課題を解決するために、対の電線からなる線材の複数配線において、
互いに異なる特定周波数の電流を送出する複数の発振器と
前記発振器数と同数の複数の並列共振回路を有する受信器
を備えた線材識別表示器であって、
前記各発振器は、電源との接続により前記特定周波数の電流を送出する発振回路と位相反転回路と電流増幅回路と前記送出される電流の特定周波数に対応して予め設定した特定情報を表示するダイオードを有し、
前記受信器の各並列共振回路は、
前記送出される電流の互いに異なる特定周波数にそれぞれ対応して共振するダイオード組込型並列共振回路であって、かつ、前記組み込まれたダイオードは共振により上昇する電圧に基づいてその属する共振回路の共振をもたらす特定周波数に対応して前記予め設定した特定情報と同一の特定情報を表示するダイオードであって、
前記発振器は前記線材の一方の端部における前記対の電線の双方と接続し、前記受信器は前記線材の他方の端部における前記対の電線の双方と接続していることを特徴とする。
【００１４】
又、本願発明は、完全シールドの高周波同軸ケーブルを対象に、誤接続を防止しつつ高効率な作業の補助具としてなされる。本願発明は、ケーブル識別表示と同時に導通チェックの機能も有する。なお、通常電線でも使用可能であるが、この場合、他にも手段はある。（特許文献４）
【００１５】
又、互いに異なる特定周波数の電流を送出する複数の発振器の発振器数と同数の複数の受信器を備えることが好ましい。
【００１６】
又、送出される電流の特定周波数に対応して予め設定した特定情報を表示するダイオード及び送出される電流の互いに異なる特定周波数にそれぞれ対応して共振する並列共振回路に組み込まれたダイオードは、いずれも発光ダイオードであり、かつ、送出される電流の特定周波数に対応して予め設定した特定情報は特定色の光であることが好ましい。
【００１７】
（図１）（図２）（図３）により説明すれば、施工したケーブル束４の片端に所定信号発振器１を、他端に複数の周波数の並列共振回路７と、共振表示ＬＥＤ６を設けておく。（以後、これを受信器５と言う）
【００１８】
信号発振器１は複数の周波数共振回路７の数だけ用意する。今回は信号発振器１を３個用意した。工事現場で例えばビルの１階と１０階間にケーブル束４を施設する場合、下階と上階でのケーブル端末での識別は各々が離れているために困難である。
【００１９】    ケーブル束４を施設工事後、下階又は上階の各々のケーブル端末に信号発振器１を装着して、信号を発信する。【００２０】    信号を発信するのに電源スイッチ２を入れるのだが、その電源表示ＬＥＤ３の色を例えば周波数がｆ１なら赤と決めておく。【００２１】    対する上階又は下階の施工したケーブル束４の端末に受信器５を装着すると、所定周波数に共振した回路のＬＥＤ６の、この場合赤のみが点灯して信号発振器１のケーブルを識別表示するのである。【００２２】
従って、施工したケーブル束４の中がいかに複雑な経路や絡みが存在しても確実に識別表示するのである。この時、複数の発振器１は任意にそれぞれのケーブルに装着しておかないと、未装着の先端の受信器５は何も表示しないのは言うまでもない。
【００２３】
又、各並列共振回路に組み込まれたダイオードが複数であり、かつ、前記組み込まれたダイオードの前記各並列共振回路における接続が正方向と逆方向のいずれの接続も含むものであることが好ましい。
【発明の効果】
【００２４】    増々高層化及び大型化が進むビル等の建設に伴うケーブル配線工事に於いても、かかる発明により、作業者の技能習熟度合いや作業環境に左右されることなく確実かつ容易にケーブルを識別し、導通確認も同時にできる。このため機器への誤接続が皆無となり、作業効率の大幅な改善が得られる。
【図面の簡単な説明】
【００２５】
【図１】  全体構成図
【図２】  信号発振器の実施例
【図３】  受信器の実施例
【図４】  ２倍電圧発生説明図
【発明を実施するための形態】
【００２６】    全体の構成を（図１）に示したように周波数の異なる発振器１を複数個用意して、施工完了したケーブル束４の片端に任意に装着しておく。その周波数を例えばｆ１，ｆ２，ｆ３とする。
【００２７】    施工完了したケーブル束４の反対他端には周波数ｆ１，ｆ２，ｆ３の並列共振回路と、共振表示ＬＥＤ６を例えば赤、橙、青の色別に表示機能を有する受信器５を、この場合同じ物を３個装着しておく。（図１）
【００２８】    識別作業は例えば信号発振器１のｆ１の電源スイッチ２を入れると送信側では赤の送信表示ランプ３の点灯と、受信側では３個の受信器５の中で該当ケーブルの受信器の赤ＬＥＤ６が点灯して教えてくれる。
【００２９】    かくして、ケーブル束４の長さに無関係であらゆる配線工事に使用できるのである。
【００３０】    それはインダクタンスを用いた並列共振回路７とは言え、往復線路のためインダクタンスは相殺されるからである。
【００３１】    更に長さが伸びてもケーブルの線抵抗は受信器の制限抵抗Ｒ１〜Ｒ３が数ＫΩオーダーのため無視できるのである。
【実施例】
【００３２】    本発明の実用事業所の作業基準に準拠して、（図１）（図３）に示すように３チャンネルで実施したが、これに限るものではなく、数十チャンネルも必要なら可能である。【００３３】    信号発振器１は実施例を（図２）に示すように、Ｃ−ＭＯＳ型シュミットインバータＩＣ８によりｆ＝１．１５／ＣＲで算出できる周波数を発振する。【００３４】    同ＩＣの次のブロック３番４番ピン９で反転位相を作り、終段の４ブロック１０で電流を増して出力するのである。【００３５】    本例では（図４）に示すように、同ＩＣの６番、８番ピン出力と１０番、１２番ピン出力とは位相を逆相にしているためＥｖ−（−Ｅｖ）＝２Ｅｖとなり、電池電圧の２倍の電圧を得るように工夫をしている。【００３６】    受信器５に於いては（図３）に示すように制限抵抗Ｒ１〜Ｒ３を経てインダクタンスＬ１〜Ｌ３と共振相手のコンデンサＣ１〜Ｃ３、そして表示用各色ＬＥＤ６を２個同色逆並列接続により周波数ｆ１〜ｆ３のいずれかで共振した回路のＬＥＤのみが点灯する。【００３７】    並列共振回路７は共振した時はインピーダンスが上る、即ち電圧が上がるので、この上昇電圧でＬＥＤ６が点灯する。【００３８】    共振時の振動電流の＋時と−時のバランスによる回路の安定性を考慮して、双方向で点灯するようにＬＥＤ６を各２個逆並列接続とした。【００３９】    実験結果によると共振電圧は無負荷時に比べ、ＬＥＤが１個で５％、２個で１０％の減衰に留まり、１個でも支障なく波形に乱れも無い事も確認した。【００４０】    しかし配線ケーブル４が硬くて融通が効かないため、受信器５のいずれの方向からでも目視確認できるように、実施例ではやはりＬＥＤ６を２個逆並列接続とした。
【産業上の利用可能性】
【００４１】    本件では同軸ケーブルを対象としたが、他の対の電線なら凡る線材配線の確認に使用でき、作業の品質と効率、安全が飛躍的に改善できるものである。又、ＬＥＤ６をフォトカプラー、フォトサイリスタに置き換えて、電力の遠隔制御にも応用でき、多用途の技術が実現できた。
【符号の説明】
【００４２】  １    信号発振器
２    電源スイッチ
３    送信（電源）表示ＬＥＤ
４    施工ケーブル束
５    受信器
６    識別表示ＬＥＤ
７    共振回路
８    ＩＣ、１ブロック
９    ＩＣ、２ブロック
１０    ＩＣ、３ブロック
【図１】
0005542171.tif 000002
【図２】
0005542171.tif 000003
【図３】
0005542171.tif 000004
【図４】
0005542171.tif 000005